(57)【要約】【課題】記憶装置の着脱容易性を維持しつつ、筐体内部のスペースの使用効率を向上することができる電子機器を提供する。【解決手段】本発明の電子機器は、筐体２１と、筐体２１の表面に対して窪んで形成されるとともに、ディスク状の記録媒体を駆動するためのディスク駆動装置が内部に収容される第１の収容部２３と、第１の収容部２３の底部に対して窪んで形成されるとともに、データを記憶するための記憶装置が内部に収容される第２の収容部２４と、を具備する。【選択図】図５
2009069997.tif 000002
【特許請求の範囲】
【請求項１】
筐体と、
ディスク状の記録媒体を駆動するためのディスク駆動装置を内部に収容するように、前記筐体の表面に対して窪んで形成される第１の収容部と、
データを記憶するための記憶装置を内部に収容するように、前記第１の収容部の底部に対して窪んで形成される第２の収容部と、
を具備することを特徴とする電子機器。
【請求項２】
前記第１の収容部を覆うカバーを含み、
前記カバーは、前記ディスク駆動装置と一体に形成されることを特徴とする請求項１に記載の電子機器。
【請求項３】
前記ディスク駆動装置は、前記ディスク駆動装置の周囲を取り囲む金属製の外装ケースを有し、
前記記憶装置は、前記記憶装置の周囲を取り囲むとともに、前記ディスク駆動装置に対向する面を開放した金属製のシールドケースを有することを特徴とする請求項２に記載の電子機器。
【請求項４】
前記筐体に取り付けられるキーボードと、
前記キーボードに隣接して前記筐体に形成されるパームレスト部と、
を有し、
前記パームレスト部は、前記第２の収容部の底部を兼ねていることを特徴とする請求項３に記載の電子機器。
【請求項５】
前記パームレスト部に対して被さる第１の位置と、前記パームレスト部に対して開いている第２の位置との間で回動できるディスプレイユニットを更に具備することを特徴とする請求項４に記載の電子機器。
【発明の詳細な説明】
【技術分野】
【０００１】
本発明は、ディスク状の記録媒体を駆動するディスク駆動装置とデータを記憶する記憶装置とを搭載した電子機器に関する。
【背景技術】
【０００２】
例えば、特許文献１にはラックに格納されたハードディスク装置を交換しやすくしたサーバユニットが開示されている。このサーバユニットは、外側ケースと、外側ケースの内部に収容されるとともに、外側ケースに対して引き出すことが可能な内側ケースと、内側ケースの内部に格納される複数のハードディスク装置と、を備えている。内側ケースは、後方に配置されてハードディスク装置が搭載される第１の装着部と、前方に配置されてハードディスク装置が搭載される第２の装着部と、を有している。第２の装着部は、可動継手によって第１の装着部と連結されている。複数のハードディスク装置の一部は、第１の装着部に横並びで配置されている。また、複数のハードディスク装置の一部は、第２の装着部に横並びで配置されている。すなわち、このサーバユニットでは、ハードディスク装置が同一平面上に２列で収容されている。
【０００３】
第２の装着部は、可動継手の作用によって、第１の装着部に対して下方に平行移動することができる。このサーバユニットでは、第２の装着部が下方に移動することで、第１の装着部に装着される２列目のハードディスク装置の装着および取り外しを円滑に行うことができる（例えば、特許文献１参照）。
【特許文献１】特開２００３−３６６６９号公報
【発明の開示】
【発明が解決しようとする課題】
【０００４】
ところで、このようなサーバユニットの構造をポータブルコンピュータに適用しようとする場合に、設置スペースの関係上、ハードディスク装置を同一平面上に２列で配置できない場合がある。この場合、上記従来の構成をそのまま適用できないため、改良の余地があった。
【０００５】
本発明の目的は、記憶装置の着脱容易性を維持しつつ、筐体内部のスペースの使用効率を向上することができる電子機器を提供することにある。
【課題を解決するための手段】
【０００６】
前記目的を達成するため、本発明の一つの形態にかかる電子機器は、筐体と、ディスク状の記録媒体を駆動するためのディスク駆動装置を内部に収容するように、前記筐体の表面に対して窪んで形成される第１の収容部と、データを記憶するための記憶装置を内部に収容するように、前記第１の収容部の底部に対して窪んで形成される第２の収容部と、を具備する。
【発明の効果】
【０００７】
本発明によれば、記憶装置の着脱容易性を維持しつつ、筐体内部のスペースの使用効率を向上することができる電子機器を提供できる。
【発明を実施するための最良の形態】
【０００８】
以下に、図１から図１０を参照して、電子機器の実施形態について説明する。図１に示すように、電子機器の一例であるポータブルコンピュータ１１は、本体ユニット１２と、ディスプレイユニット１３と、本体ユニット１２とディスプレイユニット１３との間に設けられるヒンジ部１４と、を備えている。ヒンジ部１４は、ディスプレイユニット１３を支持しており、ディスプレイユニット１３を本体ユニット１２に対して回動させることができる。ディスプレイユニット１３は、液晶ディスプレイ１６、およびラッチ１７を有している。ディスプレイユニット１３は、図２に示すように筐体２１の後述するパームレスト部２１Ａに対して被さっている第１の位置Ｐ１と、図１に示すようにパームレスト部２１Ａに対して開いている第２の位置Ｐ２との間で回動することができる。
【０００９】
図１から図３、図５に示すように、本体ユニット１２は、合成樹脂製の筐体２１と、筐体２１に取り付けられるキーボード２２と、キーボード２２に隣接して筐体２１に形成されるパームレスト部２１Ａと、筐体２１に形成された第１の収容部２３および第２の収容部２４と、第１の収容部２３の内部に収容されるディスク駆動装置であるフロッピー（登録商標）ディスクドライブ装置２５（ＦＤＤ）と、第２の収容部２４の内部に収容される記憶装置であるハードディスクドライブ装置２６（ＨＤＤ）と、第１の収容部２３を覆うカバー２７と、筐体２１の内部に収容されるプリント回路板およびバッテリ２８と、ポインティングデバイスであるタッチパッド２９およびボタン３０と、指紋認証装置３１と、を有している。また、筐体２１の内面には、図示しない第１のグランド層が形成されている。第１のグランド層は、導電性の金属を塗装することで形成されており、筐体２１の内部から電磁波が周囲に漏洩することを防止するとともに、外部の電磁波が筐体２１の内部に悪影響を与えないようにする。
【００１０】
ＦＤＤ２５は、ディスク状の記録媒体であるフロッピーディスクを駆動してこれに読み書きを行うことができる。ＦＤＤ２５は、予めカバー２７に対して例えばねじ止めによって固定されており、カバー２７と一体に形成されている。カバー２７は、筐体２１と同じ材質で、すなわち合成樹脂によって形成されている。図４と図５に示すように、ＦＤＤ２５は、その周囲を方形筒状に取り囲む金属製の外装ケース３６を有している。外装ケース３６は、ＦＤＤ２５の内部から発生する電磁波を遮蔽するとともに、外部からの電磁波の影響を受けることを防止するものである。外装ケース３６は、図示しないアダプターを介して、第１のグランド層に電気的に接続されており、その電磁波の遮蔽性が高められている。
【００１１】
ＦＤＤ２５は、ディスク駆動装置の一例であるが、ディスク駆動装置は、これに限定されるものではない。ディスク駆動装置は、ＣＤドライブ装置やＤＶＤドライブ装置などの光ディスクドライブ装置などを包含する概念である。
【００１２】
ＨＤＤ２６は、記憶装置の一例であり、内蔵するディスクにデータを記憶することができる。図５に示すように、ＨＤＤ２６は、シールドケース３８を有している。シールドケース３８は、所定の板厚の金属板を断面略「コ」字型に折り曲げて形成されている。図７に示すように、シールドケース３８は、ＨＤＤ２６の周囲を取り囲んでいるものの、ＦＤＤ２５に対向する面において開放する開放部３９を有している。ＨＤＤ２６は、この開放部３９において内蔵するプリント基板４０を露出させている。通常、ＨＤＤ２６のシールドケース３８は、周囲を取り囲む方形筒状に形成されるが、本実施形態のＨＤＤ２６は、ＦＤＤ２５に隣接する面を開放部３９としている。これによって、開放部３９にシールドケース３８が配置しない分、シールドケース３８をなしている金属板の板厚の分だけ薄型化されるとともに軽量化されている。なお、図５に示すように、ＦＤＤ２５とＨＤＤ２６の間には、樹脂製のフィルムで構成されるインシュレータ４１が配置されており、プリント基板４０とＦＤＤ２５との間を絶縁している。
【００１３】
図６に示すように、第１の収容部２３は、筐体２１の底部に形成されている。第１の収容部２３は、筐体２１の表面に対して、窪んで形成されている。
【００１４】
図６に示すように、第２の収容部２４は、第１の収容部２３の底部２３Ａに対して窪んで形成されている。すなわち、第２の収容部２４は、第１の収容部２３よりもさらに一段落ち込んでおり、第１の収容部２３と連通するように形成されている。第２の収容部２４の底部２４Ａは、筐体２１のパームレスト部２１Ａによって構成されている。第２の収容部２４の底部２４Ａには、第２のグランド層４２が形成されている。第２のグランド層４２は、導電性の金属を塗装することで形成されており、外部の電磁波等を遮断して、第２の収容部２４に収容されるＨＤＤ２６に悪影響がないようにしている。
【００１５】
続いて、図６から図８を参照して、本実施形態のポータブルコンピュータ１１において、ＨＤＤ２６の装着工程について説明する。図６に示すように、筐体２１からカバー２７およびＦＤＤ２５を取り外した状態において、第１の収容部２３と第２の収容部２４は、外部に対して露出されている。
【００１６】
まず、図７に示すように、第２の収容部２４に対して、ＨＤＤ２６を装着する。このとき、ＨＤＤ２６は、図示しないコネクタを介してケーブル４３に接続される。ケーブル４３は、前記プリント回路板と電気的に接続されている。
【００１７】
そして、図８に示すように、第１の収容部２３に対して、カバー２７と一体化したＦＤＤ２５を装着する。その際、ＨＤＤ２６とＦＤＤ２５との間には、インシュレータ４１を介在させる。なお、ＦＤＤ２５と前記プリント回路板とは、フレキシブルプリントケーブル４４によって予め電気的に接続されているため、ＦＤＤ２５の装着に際しコネクタ等を接続する必要はない。最後に１本のねじ４５を用いてカバー２７を筐体２１に対して固定し、ＨＤＤ２６の装着工程が終了する。また、ＨＤＤ２６を取り外す際には、上記の手順を逆に行って取り外すことができる。
【００１８】
以上が、ポータブルコンピュータ１１の実施形態である。本実施形態によれば、ポータブルコンピュータ１１は、筐体２１と、ディスク状の記録媒体を駆動するためのディスク駆動装置であるＦＤＤ２５を内部に収容するように、筐体２１の表面に対して窪んで形成される第１の収容部２３と、データを記憶するための記憶装置であるＨＤＤ２６を内部に収容するように、第１の収容部２３の底部２３Ａに対して窪んで形成される第２の収容部２４と、を具備する。
【００１９】
この構成によれば、ＦＤＤ２５とＨＤＤ２６とが重ねて配置されるため、筐体２１内部のスペースの使用効率を向上できるとともに、構造体としての強度を増すことができる。また、第１の収容部２３からＦＤＤ２５を取り外せば、簡単にＨＤＤ２６を第２の収容部２４から取り外すことができる。さらに、ＨＤＤ２６をＦＤＤ２５によって守られた箇所、すなわち筐体２１の奥側に配置できるため、ＨＤＤ２６を外部からの衝撃を受けにくい位置に配置することができる。これによって、ポータブルコンピュータ１１を誤って落下させてしまった場合等に、ＨＤＤ２６に記憶されたデータが失われてしまうことを極力防止して、ポータブルコンピュータ１１の信頼性を向上できる。
【００２０】
この場合、第１の収容部２３を覆うカバー２７を含み、カバー２７は、ＦＤＤ２５と一体に形成される。この構成によれば、ＦＤＤ２５を取付後に別途にカバー２７を取り付ける必要がなく、組み付け作業性を向上することができる。また、ＦＤＤ２５に第２の収容部２４のカバー２７の役割を兼ねさせることができ、部品点数を削減することができる。
【００２１】
この場合、ディスク駆動装置であるＦＤＤ２５は、その周囲を取り囲む金属製の外装ケース３６を有し、記憶装置であるＨＤＤ２６は、その周囲を取り囲むとともに、ＦＤＤ２５に対向する面を開放した金属製のシールドケース３８を有する。この構成によれば、ＦＤＤ２５の外装ケース３６によって、ＨＤＤ２６の電磁波シールドを兼ねることができる。これによって、ＨＤＤ２６において、ＦＤＤ２５に隣接する面において、シールドケース３８を省略することができ、ポータブルコンピュータ１１の薄型化および軽量化を図ることができる。また、ＦＤＤ２５から見ても、ＨＤＤ２６のシールドケース３８によって、電磁波の遮蔽性が向上するため、相互にシールド性能を高め合うことができる。
【００２２】
この場合、筐体２１に取り付けられるキーボード２２と、キーボード２２に隣接して筐体２１に形成されるパームレスト部２１Ａと、を有し、パームレスト部２１Ａは、第２の収容部２４の底部２４Ａを兼ねている。この構成によれば、筐体２１の厚み寸法を第１の収容部２３の高さと第２の収容部２４の高さとを足した寸法にすることができ、筐体２１を極力薄く構成することができる。
【００２３】
この場合、パームレスト部２１Ａに対して被さる第１の位置Ｐ１と、パームレスト部２１Ａに対して開いている第２の位置Ｐ２との間で回動できるディスプレイユニット１３を更に具備する。この構成によれば、第１の位置Ｐ１にあるディスプレイユニット１３をパームレスト部２１Ａに隣接して配置できるため、ＨＤＤ２６をディスプレイユニット１３によって保護することができる。これによって、ＨＤＤ２６の耐衝撃性をより一層向上することができる。
【００２４】
続いて、図９と図１０を参照して、電子機器の第２の実施形態について、ポータブルコンピュータに適用した場合を例に説明する。第２の実施形態のポータブルコンピュータ５１は、記憶装置がメモリモジュール５２で構成される点で第１の実施形態と異なっているが、他の部分は共通している。このため、主として第１の実施形態と異なる部分について説明し、第１の実施形態と共通する箇所については共通の符号を付して説明を省略する。
【００２５】
第２の実施形態のポータブルコンピュータ５１は、ＨＤＤ２６に代えて、メモリモジュール５２を記憶装置として備えている。図９に示すように、第２の収容部２４には、メモリモジュール５２が配置されている。メモリモジュール５２は、コネクタ５３およびケーブル４３を介して、プリント回路板に電気的に接続されている。メモリモジュール５２は、基板５４と、基板５４上に実装された複数のチップ部品５５とを有している。メモリモジュール５２は、ＨＤＤ２６と同様に、データを記憶することができる。
【００２６】
図１０に示すように、第１の収容部２３には、第１の実施形態と同様にＦＤＤ２５が装着されている。また、メモリモジュール５２とＨＤＤ２６との間には、絶縁のためのインシュレータ４１が介在されている。
【００２７】
図９に示すように、メモリモジュール５２の装着は、カバー２７およびＦＤＤ２５を第１の収容部２３から取り外した状態で行う。この状態で、コネクタ５３にメモリモジュール５２を差し込んで、第２の収容部２４にメモリモジュール５２を装着する。さらに、第１の収容部２３にＦＤＤ２５およびカバー２７を装着して、カバー２７を筐体２１にねじ止めすることでメモリモジュール５２の装着が終了する。
【００２８】
第２の実施形態によれば、ＦＤＤ２５とメモリモジュール５２とが重ねて配置されるため、筐体２１内部のスペースの使用効率を向上できる。また、メモリモジュール５２を衝撃の加わりにくい筐体２１の奥部に配置できるため、外部から衝撃が加えられた場合であっても、メモリモジュール５２からデータが失われてしまうことを極力防止できる。特に、ＦＤＤ２５およびカバー２７によって、メモリモジュール５２のカバー２７を兼ねることができるため、部品点数を削減できるとともに、これを組み付ける際の作業性を向上することができる。また、ＦＤＤ２５の外装ケース３６によって、メモリモジュール５２の電磁波シールドを兼ねることができるため、ポータブルコンピュータ５１の薄型化および軽量化を図ることができる。
【００２９】
本発明の電子機器は、ポータブルコンピュータ１１、５１用に限らず、例えば携帯情報端末のようなその他の電子機器に対しても実施可能である。その他、電子機器は、発明の要旨を逸脱しない範囲で種々変形して実施することができる。
【図面の簡単な説明】
【００３０】
【図１】第１の実施形態に係るポータブルコンピュータを示す斜視図。
【図２】図１に示すポータブルコンピュータにおいて、パームレスト部に対してディスプレイユニットが被さっている第１の位置にある状態を示す斜視図。
【図３】図２に示すポータブルコンピュータの下面図。
【図４】図３に示すポータブルコンピュータの第１の収容部に収容されるＦＤＤおよびカバーを示す上面図。
【図５】図３に示すポータブルコンピュータの本体ユニットのＦ５−Ｆ５線に沿った断面図。
【図６】図３に示すポータブルコンピュータの第１の収容部および第２の収容部からＦＤＤおよびＨＤＤを取り外した状態を示す斜視図。
【図７】図６に示すポータブルコンピュータの第２の収容部にＨＤＤを装着した状態を示す斜視図。
【図８】図７に示すポータブルコンピュータの第１の収容部にＦＤＤおよびカバーを装着した状態を示す斜視図。
【図９】第２の実施形態にかかるポータブルコンピュータの第２の収容部にメモリモジュールを装着した状態を示す斜視図。
【図１０】図９に示すポータブルコンピュータの筐体にＦＤＤおよびカバーを装着した状態で、縦方向に切断して示す断面図。
【符号の説明】
【００３１】
１１、５１…ポータブルコンピュータ、１３…ディスプレイユニット、２１…筐体、２１Ａ…パームレスト部、２２…キーボード、２３…第１の収容部、２３Ａ…底部、２４…第２の収容部、２４Ａ…底部、２５…ＦＤＤ、２６…ＨＤＤ、２７…カバー、３８…シールドケース、３９…開放部、５２…メモリモジュール、Ｐ１…第１の位置、Ｐ２…第２の位置
【図１】
2009069997.tif 000003
【図２】
2009069997.tif 000004
【図３】
2009069997.tif 000005
【図４】
2009069997.tif 000006
【図５】
2009069997.tif 000007
【図６】
2009069997.tif 000008
【図７】
2009069997.tif 000009
【図８】
2009069997.tif 000010
【図９】
2009069997.tif 000011
【図１０】
2009069997.tif 000012